(57)【特許請求の範囲】
【請求項１】
第１の洗浄媒体を貯蔵する第１のタンクと、
前記第１の洗浄媒体を吐出する吐水管と、
前記第１のタンクにおける前記第１の洗浄媒体の貯蔵量が閾値を超えた時に、前記第１の洗浄媒体の余剰分を排出するオーバーフロー経路と、を備え、
前記オーバーフロー経路は、その経路上に、前記オーバーフロー経路を遮断する前記第１の洗浄媒体を貯留する貯留部、を有することを特徴とする水洗式便器。
【請求項２】
第１の洗浄媒体を貯蔵する第１のタンクと、
前記第１の洗浄媒体を吐出する吐水管と、
前記第１のタンクにおける前記第１の洗浄媒体の貯蔵量が閾値を超えた時に、前記第１の洗浄媒体の余剰分を排出するオーバーフロー経路と、を備え、
前記オーバーフロー経路は、その経路上に前記第１の洗浄媒体を貯留する貯留部、を有し、
前記オーバーフロー経路は、屈曲部分を有し、
前記貯留部は、前記屈曲部分に形成され、前記第１の洗浄媒体を貯留することにより前記オーバーフロー経路を前記第１の洗浄媒体によって遮断可能に形成されることを特徴とする水洗式便器。
【請求項３】
前記オーバーフロー経路は、垂直方向から水平方向に屈曲する形状を有することを特徴とする請求項２に記載の水洗式便器。
【請求項４】
前記オーバーフロー経路は前記吐水管に連通することを特徴とする請求項１に記載の水洗式便器。
【請求項５】
第２の洗浄媒体を貯蔵する第２のタンク、を更に備え、
前記吐水管には、前記第１の洗浄媒体に加えて、前記第２のタンクから前記第２の洗浄媒体も供給されることを特徴とする請求項３に記載の水洗式便器。
【請求項６】
第１の洗浄媒体を貯蔵する第１のタンクと、
前記第１の洗浄媒体を吐出する吐水管と、
前記第１のタンクにおける前記第１の洗浄媒体の貯蔵量が閾値を超えた時に、前記第１の洗浄媒体の余剰分を排出するオーバーフロー経路と、を備え、
前記オーバーフロー経路は、その経路上に前記第１の洗浄媒体を貯留する貯留部、を有し、
前記貯留部には、上方から分離壁が挿入され、かつ、前記貯留部に前記第１の洗浄媒体が最大限に貯留されたときの水面を略２分割する位置に前記分離壁が挿入されることを特徴とする水洗式便器。
【請求項７】
第１の洗浄媒体を貯蔵する第１のタンクと、
前記第１の洗浄媒体を吐出する吐水管と、
前記第１のタンクにおける前記第１の洗浄媒体の貯蔵量が閾値を超えた時に、前記第１の洗浄媒体の余剰分を排出するオーバーフロー経路と、を備え、
前記オーバーフロー経路は、その経路上に前記第１の洗浄媒体を貯留する貯留部、を有し、
前記貯留部内の前記第１の洗浄媒体の最も低い位置は、前記第１の洗浄媒体を吐出する前記吐水管の開口よりも低い位置に設けられることを特徴とする水洗式便器。
【発明の詳細な説明】
【技術分野】
【０００１】
本発明は、水洗式便器、特に、余剰の洗浄媒体を排出するオーバーフロー経路の構造に関する。
【背景技術】
【０００２】
水洗式便器において、１以上の吐水管から洗浄水を吐出し、便鉢内の汚物を押し出す洗浄方式が知られている。具体的には、ユーザが洗浄を指示するとき、タンクの洗浄水を吐水管から吐出させる。洗浄後、上水道から新たに洗浄水が取水され、内蔵のタンクに貯蔵される。
【０００３】
タンクから洗浄水があふれる可能性も考慮し、タンクにオーバーフロー管（オーバーフロー経路）とよばれる通水管（通水路）が設置されることもある。タンクの貯水量が閾値以上となると、余剰分の洗浄水はオーバーフロー管によって排出される。オーバーフロー管は、下水管等に直接接続されてもよいし、吐水管に連結されてもよい。
【０００４】
オーバーフロー管はタンクにつながっているため、オーバーフロー管から異物が入り込むと、異物がタンクにまで入り込む可能性がある。これを防ぐため、特許文献１ではオーバーフロー用排水路４０（オーバーフロー管）の途中に網状のフィルタ５９を形成している（特許文献１の段落［００３８］、図６参照）。
【先行技術文献】
【特許文献】
【０００５】
【特許文献１】特開２０１４−１１４６３６号公報
【発明の概要】
【発明が解決しようとする課題】
【０００６】
フィルタは、異物を阻止できる代わりに、オーバーフロー管の通水量を制限してしまう。水道水の出しっぱなしなどで大量のオーバーフローが発生することも想定すると、オーバーフロー管の通水量を制限することは好ましくない。フィルタの目を粗くすれば通水量を比較的大きくできるが、小さな異物がフィルタを通り抜けてしまうかもしれない。フィルタを設ける場合、異物阻止と通水量にトレードオフの関係がある。
【０００７】
本発明は、上記課題認識に基づいてなされたものであり、その主たる目的は、水洗式便器のオーバーフロー管への異物侵入を効率的に防止するための技術、を提供することにある。
【課題を解決するための手段】
【０００８】
本発明のある態様における水洗式便器は、水洗式便器は、第１の洗浄媒体を貯蔵する第１のタンクと、第１の洗浄媒体を吐出する吐水管と、第１のタンクにおける第１の洗浄媒体の貯蔵量が閾値を超えた時に、第１の洗浄媒体の余剰分を排出するオーバーフロー経路と、を備える。
オーバーフロー経路は、その経路上に第１の洗浄媒体を貯留する貯留部、を有する。
【発明の効果】
【０００９】
本発明によれば、水洗式便器のオーバーフロー管への異物侵入を効率的に防止しやすくなる。
【図面の簡単な説明】
【００１０】
【図１】水洗式便器の前方斜視図である。
【図２】水洗式便器の後端内部の拡大斜視図である。
【図３】水洗式便器の後端面付近の拡大斜視図である。
【図４】水洗式便器の後方斜視図である。
【図５】吐水管の外観斜視図である。
【図６】水洗式便器における洗浄水および洗剤の流れを説明するための第１の模式図である。
【図７】水洗式便器における洗浄水および洗剤の流れを説明するための第２の模式図である。
【図８】図１のＡ−Ａにおける水洗式便器の側断面図である。
【図９】図１のＢ−Ｂにおける水洗式便器の側断面図である。
【図１０】図８の領域Ｒの拡大図である。
【図１１】変形例における補給管の側面図である。
【発明を実施するための形態】
【００１１】
図１は、水洗式便器１００の前方斜視図である。
水洗式便器１００は、タンク（第１タンク）とポンプ（図２において後述）を内蔵する。ポンプは、タンクが貯蔵する洗浄水（第１の洗浄媒体）を第１吐水口１０２および第２吐水口１０４から便鉢部１０６に吐出する。第２吐水口１０４から吐出された洗浄水は、便鉢部１０６の内壁面に形成される導水棚１０８（レール）の上を流れ、第１吐水口１０２から吐出された洗浄水と合流し、便鉢部１０６の内部を旋回し、落水する。詳細は後述するが、実際には、第２吐水口１０４からは洗剤（第２の洗浄媒体）、洗浄水および空気の混合体である泡も吐出される。以下、洗剤、洗浄水、空気の混合体のことを単に「泡」と表記する。
なお、水洗式便器１００の後端部には、局部洗浄機能や温風機能等を提供する機能部（図示せず）が搭載されてもよい。
【００１２】
図２は、水洗式便器１００の後端内部の拡大斜視図である。図３は、水洗式便器１００の後端面付近の拡大斜視図である。図４は、水洗式便器１００の後方斜視図である。図５は、吐水管の外観斜視図である。
水洗式便器１００の後背面の取水口１１０（図３参照）には給水管（不図示）が貫通し、給水管は上水道と連結される。取水された洗浄水は、補給管１１２（図２参照）を経由して第１タンク１１６に入る（図２の経路Ｃ１）。より具体的には、第１タンク１１６のうち、その上部に形成される部分である受水部１１４に入り、受水部１１４の洗浄水が第１タンク１１６の下部領域である下タンク１１５（図２参照）に流れ込む（図２の経路Ｃ２）。
【００１３】
ユーザが、洗浄スイッチ（図示せず）を操作すると、水洗式便器１００の下部にあるポンプ（図示せず）が稼働し、下タンク１１５の洗浄水は吐水管１１８（図２，図５参照）に送られる（図２の経路Ｃ３）。吐水管１１８は、主管１２４から第１吐水管１２０と第２吐水管１２２の２つの管に分岐する二又の管である（図５参照）。第１吐水管１２０に流れ込んだ洗浄水は第１導水経路１１９を経由して第１吐水口１０２からそのまま吐出される（図２の経路Ｃ３−１、図３の水流Ｂ）。
【００１４】
第２タンク１２６は洗剤（第２の洗浄媒体）を貯留する。第２タンク１２６の洗剤はエゼクタ１２８で生成される気泡水（空気と水の混合体）に混合されて泡となり、泡管５７を介して吐出口１３０から第２吐水管１２２に入る（図２の経路Ｃ４）。第２タンク１２６の洗剤は、ポンプ５４によってエゼクタ１２８に送られる。また、エゼクタ１２８には、水道水が給水管、泡バルブ１１７を介して直接供給される。泡は、第２導水経路１２３を経由して第２吐水口１０４から吐出される（図２の経路Ｃ３−２、図３の水流Ａ）。なお、エゼクタ１２８は既存技術の応用である。第２吐水管１２２からは、洗浄水または泡のいずれかが吐出される。
【００１５】
詳細は後述するが、受水部１１４は下タンク１１５だけでなく、オーバーフロー管１３２（図５参照）とも連通する。受水部１１４の洗浄水は下タンク１１５に供給されるが、下タンク１１５の貯水量が多くなりすぎると受水部１１４から洗浄水があふれてしまう。そこで、受水部１１４は余剰の洗浄水をオーバーフロー管１３２に流すことで、水あふれ（オーバーフロー）を防いでいる。オーバーフロー管１３２は排出口１３４から余剰水を排出するが、本実施形態における排出口１３４は第２吐水管１２２に連結されている（図５参照）。このため、受水部１１４の余剰水は、オーバーフロー管１３２および第２吐水管１２２を介して便鉢部１０６内に排出される。
【００１６】
図６は、水洗式便器１００における洗浄水と洗剤の流れを説明するための全体の模式図である。図７は、水洗式便器１００における洗浄水と洗剤の流れを説明するためのより詳細な模式図である。
水洗式便器１００はバルブユニット１１３を備える。バルブユニット１１３は、上水道に接続された給水管１５６に接続される。給水管１５６は、取水口１１０を貫通する洗浄水を水道から取水するための管である。バルブユニット１２５は、洗浄バルブ１２１および泡バルブ１１７を備える。洗浄バルブ１２１と泡バルブ１１７は同時に開状態となることはない。洗浄バルブ１２１が開状態にされると、洗浄水が補給管１１２を経由して受水部１１４に入る（経路Ｃ１）。受水部１１４の洗浄水は、そのまま下方にある下タンク１１５に流れ込み、下タンク１１５に貯水される（経路Ｃ２）。
【００１７】
ユーザが、洗浄スイッチ（図示せず）を操作すると、水洗式便器１００の下部にある洗浄水ポンプ１５６（図６参照）が稼働し、下タンク１１５の洗浄水は吐水管１１８に送られる（経路Ｃ３）。吐水管１１８は、主管１２４から第１吐水管１２０と第２吐水管１２２の２つの管に分岐する。主管１２４から第１吐水管１２０に流れた洗浄水は、第１洗浄水導水路１０５を経由して第１吐水口１０２から吐出される（経路Ｃ３−１）。一方、主管１２４から第２吐水管１２２に流れた洗浄水は、第２洗浄水導水路１０７を経由して第２吐水口１０４から吐出される（経路Ｃ３−２）。
【００１８】
受水部１１４は下タンク１１５だけでなく、隔壁１４０を介して、オーバーフロー経路を形成するオーバーフロー管１３２とも連通する（図７参照）。受水部１１４の洗浄水は下タンク１１５に供給されるが、バルブユニット１２５の故障等により下タンク１１５の貯水量が多くなりすぎると受水部１１４から洗浄水があふれてしまう。そこで、受水部１１４は余剰の洗浄水をオーバーフロー管１３２に流すことで、水あふれ（オーバーフロー）を防いでいる。オーバーフロー管１３２は排出口１３４から余剰水を排出するが、本実施形態における排出口１３４は第２吐水管１２２に連結されている（図５参照）。このため、受水部１１４の余剰水は、第２洗浄水導水路１０７および第２吐水口１０４を経て便鉢部１０６内に排出される。
【００１９】
上述した経路Ｃ１，Ｃ２，Ｃ３，Ｃ３−１およびＣ３−２は、便鉢部１０６に向かって洗浄水を導くための洗浄水導水路を構成している。すなわち、第１吐水口１０２または第２吐水口１０４まで（便鉢部１０６の前まで）が洗浄水導水路である。本実施形態に係る水洗式便器１００には、この洗浄水導水路とは別に、便鉢部１０６に向かって泡を導くための泡経路（経路Ｃ４）が設けられている。
【００２０】
第２タンク１２６の洗剤は、ポンプ５４によってエゼクタ１２８に送られて泡を形成し、泡吐出口１３０から第２吐水管１２２に入る。第２吐水管１２２からは泡または洗浄水が吐出される。
【００２１】
ポンプ１３６は一定時間駆動されて便鉢部１０６に洗浄水が吐出されたあと、補給管１１２から新たな洗浄水が下タンク１１５に補充される。補給管１１２からは一定時間洗浄水が供給されるが、その供給量は、隔壁１４０を乗り越えない程度にコントロールされている。上述のように、ポンプ１３６や各通水路に異常が発生するなど、なんらかの理由で洗浄水の水位が受水部１１４の隔壁１４０を乗り越えてしまうことがある。この場合には、余剰の洗浄水はオーバーフロー管１３２に流れ込む。オーバーフロー管１３２の洗浄水は、上述のように第２吐水管１２２から排出（廃棄）される。
【００２２】
オーバーフロー管１３２は、第２吐水管１２２を介して外部に開放されているため、第２吐水口１０４からオーバーフロー管１３２に異物が入り込む可能性がある。異物は、塵埃や小石の場合もあれば、ゴキブリやハエ、蚊などの生き物の場合も考えられる。オーバーフロー管１３２に入り込んだ異物は、更に、受水部１１４を経由して下タンク１１５にまで入り込む可能性も考えられる。
また、本実施形態においては、第２吐水管１２２に泡が供給されている。このため、第２吐水管１２２内に発生する泡がオーバーフロー管１３２を逆流して、第１タンク１１６に入り込んでしまう可能性も考えられる。第１タンク１１６にとっては、洗剤（泡）も異物である。
そこで、このような異物侵入対策として、本実施形態においてはオーバーフロー管１３２は貯留部１３８（トラップ）を形成している。
【００２３】
図８は、図１のＡ−Ａにおける水洗式便器１００の側断面図である。図９は、図１のＢ−Ｂにおける水洗式便器１００の側断面図である。図１０は、図８の領域Ｒの拡大図である。
図１０を中心として説明する。本実施形態におけるオーバーフロー管１３２は、水平方向に延伸する水平部１４４と、垂直方向に延伸する垂直部１４６を有し、水平部１４４と垂直部１４６の接合部分（屈曲部）に貯留部１３８が形成される。貯留部１３８は、水平部１４４の底面よりも低い位置にその底面を有し、貯留水１４２を一定量だけ貯留可能な領域（ポケット）であればよい。オーバーフロー経路（オーバーフロー管１３２）の屈曲部分に形成される貯留部１３８が満水になると、オーバーフロー経路は洗浄水によって遮断（封水）される。水平部１４４と垂直部１４６の間には分離壁１４８が設けられる。分離壁１４８の先端は貯留水１４２の（満水時の）水位よりも低い位置まで延伸することが望ましい。いいかえれば、垂直部１４６の分離壁１４８の先端が水平部１４４の底面より低くなるようにオーバーフロー管１３２を形成すれば、貯留水１４２によって水平部１４４と垂直部１４６を完全に分離できる。
【００２４】
第２吐水口１０４からオーバーフロー管１３２（水平部１４４）に入り込んだ異物は、貯留部１３８の貯留水１４２に落ちるため、垂直部１４６を登って受水部１１４や第１タンク１１６に入り込めなくなる。特に、貯留水１４２が満水のときには、貯留水１４２によって水平部１４４と垂直部１４６が遮断されるため、ハエや蚊などの飛行する虫であっても、貯留水１４２をくぐらずには垂直部１４６に至ることはできない。満水でない場合にも、少なくとも、蟻など飛行しないタイプの虫を貯留水１４２で捕獲できる。
【００２５】
なお、図１０では、貯留部１３８の満水時の水面をほぼ２分割する位置において分離壁１４８は水面と接している。より具体的には、垂直部１４６と貯留部１３８をつなぐ開口Ａ１と水平部１４４と貯留部１３８をつなぐ開口Ａ２の面積比は好ましくは１：１、少なくとも、その面積差が１０％以内となるように分離壁１４８が少しだけ後方に傾斜している。もし、開口Ａ１，Ａ２のいずれか一方を過度に広くし、他方が過度に狭くなると、狭い方の開口の通水が制限されてしまうためである。開口Ａ１，Ａ２の面積をそろえることで、オーバーフロー管１３２における通水がスムーズになる。
【００２６】
本実施形態における第２吐水口１０４は、泡が供給されるため、水平部１４４は泡に満たされる可能性がある。この場合にも、貯留水１４２による消泡効果により、泡が垂直部１４６を登るのを防ぐことができる。
【００２７】
しかも、本実施形態においては、オーバーフロー管１３２にフィルタなどの通水制限物を介在させる必要がないため、大量のオーバーフロー水が発生したときでも、速やかに第２吐水口１０４から余剰水を排出できる。フィルタなどの追加部品を必要としないため、施工も容易になる。もちろん、貯留部１３８とフィルタを併用してもよい。
【００２８】
図１１は、変形例における補給管１１３の側面図である。
本実施形態の補給管１１２は洗浄水を受水部１１４のみに供給するが、図１１に変形例として示す補給管１１３は主排出口１５２だけでなく副排出口１５４を備える。取水口１１０から供給された洗浄水は給水口１５０から補給管１１３に入り、主排出口１５２および副排出口１５４から同時に排出される。主排出口１５２は受水部１１４に洗浄水を吐出し、副排出口１５４はオーバーフロー管１３２に直接洗浄水を吐出する。オーバーフロー管１３２に供給された洗浄水はそのまま第２吐水口１０４から便鉢部１０６に流れ込み、便鉢部１０６の底部に溜まって滞留水となる。
【００２９】
主排出口１５２と副排出口１５４は内径が異なる。洗浄水の供給量のうち、５０％未満、好ましくは１０〜２０％程度が副排出口１５４から吐出されるように各排出口の内径比が調整される。
以下、副排出口１５４がないケース１と副排出口１５４を備えるケース２のそれぞれについて説明する。
【００３０】
＜ケース１：主排出口１５２のみが存在する場合＞
説明の便宜のため、第１タンク１１６（受水部１１４および下タンク１１５）の容量を１００、便鉢部１０６における滞留水の量を１０とする。また、ユーザが洗浄指示したとき、第１タンク１１６の洗浄水はすべて放出されるものとして説明する。
【００３１】
ユーザが洗浄指示するとポンプ１３６は、第１タンク１１６の洗浄水（総量１００）を吐出させる。第１タンク１１６の全洗浄水（量１００）のうち、量９０の洗浄水は量１０の滞留水とともに下水管に排出されるが、残りの量１０は新たな滞留水となる。洗浄後、取水口１１０から新たな洗浄水が取水され、空になった第１タンク１１６に再び量１００の洗浄水が注がれる。
【００３２】
＜ケース２：主排出口１５２に加えて副排出口１５４も存在する場合＞
給水口１５０から流入した洗浄水のうち９０％は主排出口１５２から吐出され、残りの１０％は副排出口１５４から吐出されるとして説明する。第１タンク１１６の容量を（１００ではなく）９０、便鉢部１０６における滞留水の量を１０とする。また、ユーザが洗浄指示したとき、第１タンク１１６の洗浄水はすべて放出されるものとして説明する。
【００３３】
ユーザが洗浄指示するとポンプ１３６は、第１タンク１１６の洗浄水（総量９０）を吐出させる。第１タンク１１６の全洗浄水（量９０）は量１０の滞留水とともに下水管に排出される。洗浄後、取水口１１０から量１００の洗浄水が取水される。量１００の洗浄水の９０％（量９０）の洗浄水は第１タンク１１６に注がれ、１０％分（量１０）の洗浄水は副排出口１５４からオーバーフロー管１３２、第２吐水口１０４を経由して直接便鉢部１０６に注がれ、滞留水となる。
【００３４】
ケース１では、第１タンク１１６の量１００の洗浄水のうち、量１０は滞留水となる。ケース２では、第１タンク１１６の量９０の洗浄水のすべてが洗浄に使われ、量１０の滞留水は第１タンク１１６を経由することなくオーバーフロー管１３２から供給される。ケース２の方が第１タンク１１６の容量を小さくできるため、水洗式便器１００の小型化しやすい。
【００３５】
本来、オーバーフロー管１３２はオーバーフローという異常事態が発生したときしか使われないため、内部が汚れやすい。ケース２によれば、洗浄時には常にオーバーフロー管１３２に洗浄水が流されるため、オーバーフロー管１３２を清潔に保ちやすいというメリットもある。
【００３６】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００３７】
本実施形態におけるオーバーフロー管１３２の排出口１３４は第２吐水管１２２と連結されているため、余剰水は第２吐水管１２２を経由して排出されている。変形例として、排出口１３４を吐水管１１８と連結することなく、余剰水を排出口１３４から便鉢部１０６や下水管などに直接排水してもよい。このように、オーバーフロー管１３２と吐水管１１８を必ずしも連結する必要はないが、オーバーフロー管１３２と吐水管１１８を連結すれば水洗式便器１００内のスペースを有効活用しやすい。
【００３８】
本実施形態において第１タンク１１６が貯留する第１洗浄媒体は「水（洗浄水）」であり、第２タンク１２６が貯留する第２洗浄媒体は「洗剤」である。第１洗浄媒体は洗剤であってもよいし、第２洗浄媒体が水であってもよい。あるいは、双方が洗剤であってもよいし、双方とも水であってもよい。また、第１洗浄媒体と第２洗浄媒体は、気泡性（泡立ちのしやすさ）が異なる別種の洗剤であってもよい。オーバーフロー管１３２は、屈曲部を有しない直線状、たとえば、下方傾斜方向に延伸する直線状の管として形成されてもよい。この場合にも、その経路上に、洗浄水を溜めるポケットとして貯留部１３８を形成してもよい。貯留部１３８の洗浄水でオーバーフロー管１３２を遮断できなくても、蟻などの飛行しない虫を排除する効果がある。
【００３９】
以上の記載から、下記の発明が認識される。
水洗式便器は、第１の洗浄媒体を貯蔵する第１のタンクと、第１の洗浄媒体を吐出する吐水管と、第１のタンクにおける第１の洗浄媒体の貯蔵量が閾値を超えた時に、第１の洗浄媒体の余剰分を排出するオーバーフロー経路と、を備える。
オーバーフロー経路は、その経路上に第１の洗浄媒体を貯留する貯留部、を有する。
このような貯留部を設けることにより、オーバーフロー管の排出口から異物が侵入し、第１のタンクに到達するのを防ぎやすくなる。
【００４０】
オーバーフロー経路は、屈曲部分を有してもよい。貯留部は、屈曲部分に形成され、第１の洗浄媒体を貯留することによりオーバーフロー経路を第１の洗浄媒体によって遮断可能に形成されてもよい。
【００４１】
前記オーバーフロー経路は、垂直方向から水平方向に屈曲する形状を有してもよい。
【００４２】
オーバーフロー経路は吐水管に連通してもよい。
【００４３】
水洗式便器は、第２の洗浄媒体を貯蔵する第２のタンクを更に備えてもよい。吐水管には、第１の洗浄媒体に加えて、第２のタンクから第２の洗浄媒体も供給されてもよい。第２の洗浄媒体は気泡性を有する媒体であってもよい。
【００４４】
貯留部には、上方から分離壁が挿入され、かつ、貯留部に第１の洗浄媒体が最大限に貯留されたときの水面を略２分割する位置に分離壁が挿入されてもよい。
【００４５】
水洗式便器１００は、第１のタンクに第１の洗浄媒体を補給する補給管を更に備えてもよい。補給管は、第１のタンクへの第１の洗浄媒体の供給量よりも少量の第１の洗浄媒体をオーバーフロー経路にも供給してもよい。
【符号の説明】
【００４６】
５０  泡生成装置、  ５４  ポンプ、  ５７  泡管、  １００  水洗式便器、  １０２  第１吐水口、  １０４  第２吐水口、  １０６  便鉢部、  １０８  導水棚、  １１０  取水口、  １１２，１１３  補給管、  １１４  受水部、  １１５  下タンク、  １１６  第１タンク、  １１７  泡バルブ、  １１８  吐水管、  １１９  第１導水経路、  １２０  第１吐水管、  １２１  洗浄バルブ、  １２２  第２吐水管、  １２３  第２導水経路、  １２４  主管、  １２５  バルブユニット、  １２６  第２タンク、  １２８  エゼクタ、  １３０  泡吐出口、  １３２  オーバーフロー管、  １３４  排出口、  １３６  ポンプ、  １３８  貯留部、  １４０  隔壁、  １４２  貯留水、  １４４  水平部、  １４６  垂直部、  １４８  分離壁、  １５０  給水口、  １５２  主排出口、  １５４  副排出口、  １５６  給水管。
【図１】
0006710507.tif 000002
【図２】
0006710507.tif 000003
【図３】
0006710507.tif 000004
【図４】
0006710507.tif 000005
【図５】
0006710507.tif 000006
【図６】
0006710507.tif 000007
【図７】
0006710507.tif 000008
【図８】
0006710507.tif 000009
【図９】
0006710507.tif 000010
【図１０】
0006710507.tif 000011
【図１１】
0006710507.tif 000012